(57)【要約】【課題】  弾性支持部材を固定側部材とレンズホルダにインサート成形した対物レンズ駆動装置において、部品を増加させることなく簡単な構成にて共振抑制部材の収容部が設けられる構成の対物レンズ駆動装置及びその製造方法を提供すること。【解決手段】  レンズホルダ２をチルト駆動用のマグネットが固定されるヨーク部３ａを有するヨーク３と弾性支持部材６１、７１、８２を支持する固定側部材５とで、共振抑制部材としての紫外線硬化型粘性弾性体９が弾性支持部材６１、７１、８１を囲撓するように充填されるゲルポット５０を設ける。【選択図】    図３
2006185536.tif 000002
【特許請求の範囲】
【請求項１】
対物レンズが取り付けられたホルダと、このホルダをフォーカス方向、トラッキング方向並びにチルト方向へ移動可能に、前記ホルダと対向配置された樹脂製の固定側部材に支持する複数の弾性支持部材と、この弾性支持部材の一部が埋設されるように前記固定側部材に充填された共振抑制部材と、前記ホルダの前記移動のための電磁力を付与する電磁駆動手段とを有し、前記弾性支持部材の一端側を前記固定側部材に他端側を前記ホルダにインサート成形により固定してなる対物レンズ駆動装置において、
前記ホルダにチルト駆動用のコイルを配設するとともに、前記固定側部材に、磁性板を介してチルト駆動用マグネットを前記チルト駆動用のコイルと対向させて配設し、
前記磁性板によって前記共振抑制部材が充填される収容部を形成したことを特徴とする対物レンズ駆動装置。
【請求項２】
請求項１において、前記磁性板は、前記共振抑制部材が充填される収容部を形成する１対の対向する壁部を有することを特徴とする対物レンズ駆動装置。
【請求項３】
請求項２において、前記１対の壁部は、その各壁面が前記固定側部材のトラッキング方向における両側端面部から前記ホルダ側へ延びるように形成され、前記固定側部材と前記ホルダとの対向面間にチルト駆動用のマグネットが保持されたヨーク部が配設されていることを特徴とする対物レンズ駆動装置。
【請求項４】
請求項１ないし３において、前記磁性板を第１の磁性板としたとき、フォーカシング駆動用のマグネット又はトラッキング駆動用のマグネットが取り付けられる前記第１の磁性板とは異なる第２の磁性板を有し、これら２つの磁性板同士はトラッキング方向とフォーカシング方向の両方向に対し直交する方向に離間配置されているとともに、前記第２の磁性板は前記ホルダにおける前記固定側部材との対向面から露出しない位置に配設されていることを特徴とする対物レンズ駆動装置。
【請求項５】
請求項１ないし４において、前記共振抑制部材は紫外線硬化型粘性弾性体であることを特徴とする対物レンズ駆動装置。
【請求項６】
請求項１の対物レンズ駆動装置の製造方法において、前記弾性支持部材は所定のパターンに形成した複数の薄板を対物レンズの光軸方向に間隔をおいて積層して前記固定側部材にインサート成形されるものであって、前記薄板間の離間距離を定めるための金型をトラッキング方向から挿入し成形することを特徴とする対物レンズ駆動装置の製造方法。
【発明の詳細な説明】
【技術分野】
【０００１】
本発明は、ＣＤやＤＶＤなどの光ディスクの記録、再生を行う光ヘッド装置の対物レンズ駆動装置に関するものである。さらに詳しくは、対物レンズの支持構造に関するものである。
【背景技術】
【０００２】
ＣＤやＤＶＤ等の光ディスクの記録、再生を行う光ヘッド装置の対物レンズ駆動装置として、対物レンズをワイヤで支持するものがよく知られている。
【０００３】
対物レンズはこれを保持するホルダに固定され、このホルダと固定部材との間に複数本の導電性ワイヤを懸架し、対物レンズをフォーカシング及びトラッキング方向に移動可能に支持し、磁気駆動回路により、フォーカシング及びトラッキング方向に駆動している。前記固定部材には、凹部状の空間部を設けシリコンゲルを充填し、共振時の振動レベルを抑制している。（例えば特許文献１参照）
【特許文献１】実用新案登録第２５２１５６４号公報
【０００４】
また近年、パソコン等の装置の小型化、薄型化に伴い、光ヘッド装置も小型化、薄型化、軽量化等が要求されている。従来のワイヤサスペンション方式では、ワイヤと駆動用コイルとの電気的接続は、通常、ホルダの側面に設けたプリント配線基板を介して接続固定しているため、この配線基板分だけレンズホルダが大きくなり、前記小型化、薄型化及び軽量化の要求に十分対応できないという問題がある。またホルダをさらに薄型化した場合、必然的に前記配線基板も薄型化にせざるを得ないため、各ワイヤ間の間隔が極端に狭くなり、配線基板上の端子部とワイヤとのハンダ等による電気接続作業が極めて困難となり、誤ってワイヤを変形させたり弛ませたりする可能性を生じる。この結果、ホルダの安定したスキュー特性が得られないという問題がある。
【０００５】
これに対処するため、前記ワイヤサスペンション方式に替えて、リードフレームを使用したサスペンション方式の対物レンズ支持装置が考えられる。この方式は、金属製で複数枚のリードフレームに、対物レンズホルダを搭載する樹脂製の可動部と、この可動部を支持する固定部とをインサート成形したものである。（例えば特許文献２参照）
この方式であれば、サスペンション部と駆動用コイルが接続されるコイル接続用端子部とをリードフレームに一体形成できるため、端子部とワイヤとの接続が不要となり、前記配線基板を使用しなくて済むという長所を有する。
【特許文献２】特開２００２−１５０５８３号公報
【発明の開示】
【発明が解決しようとする課題】
【０００６】
このような装置の小型化、薄型化、軽量化等に伴い、上記特許文献２の構成を採用し、複数の弾性支持部材を樹脂製からなるレンズホルダと固定部にインサート成形する場合、レンズホルダもしくは固定部の存在により、多段に積層配置される弾性支持部材間の離間距離を定めるための金型はトラッキング方向から挿入する必要がある。このため、共振抑制部材としての粘性弾性体が充填される収容部の一部を構成する保持部（壁部）を固定部のトラッキング方向における両側端部に一体成形することは困難であり、前記保持部を別部品として製作し固定部に後付けしなければならず、部品点数が増え、作業性も低下するという問題がある。
【０００７】
以上の問題点に鑑みて、本発明の課題は、装置の薄型化、軽量化を図るとともに、固定部にレンズホルダを支持する弾性支持部材をインサート成形により固定した対物レンズ駆動装置であっても、部品を増加させることなく簡単な構成にて共振抑制部材の収納部が設けられる構成の対物レンズ駆動装置及びその製造方法を提供することにある。
【課題を解決するための手段】
【０００８】
上記課題を解決するために、本発明では、対物レンズが取り付けられたホルダと、このホルダをフォーカス方向、トラッキング方向並びにチルト方向へ移動可能に、前記ホルダと対向配置された樹脂製の固定側部材に支持する複数の弾性支持部材と、この弾性支持部材の一部が埋設されるように前記固定側部材に充填された共振抑制部材と、前記ホルダの前記移動のための電磁力を付与する電磁駆動手段とを有し、前記弾性支持部材の一端側を前記固定側部材に他端側を前記ホルダにインサート成形により固定してなる対物レンズ駆動装置において、前記ホルダにチルト駆動用のコイルを配設するとともに、前記固定側部材に、磁性板を介してチルト駆動用マグネットを前記チルト駆動用のコイルと対向させて配設し、前記磁性板によって前記共振抑制部材が充填される収容部を形成したことを特徴とする。
【０００９】
また、本発明では、前記磁性板は、前記共振抑制部材が充填される収容部を形成する１対の対向する壁部を有することが好ましい。このように構成すると、前記共振抑制部材が固定側部材両側端面から流出することを防止できる。
【００１０】
さらに、本発明では、前記１対の壁部は、その各壁面が前記固定側部材のトラッキング方向における両側端面部から前記ホルダ側へ延びるように形成され、前記固定側部材と前記ホルダとの対向面間にチルト駆動用のマグネットが保持されたヨーク部が配設されていることが好ましい。このような構成にすると、チルト駆動用コイルをホルダに固定側部材と対向配置させることができ、対物レンズとの重量バランスをとるバランスウェイトとして用いることができる。さらに、チルト駆動用のヨークを固定する際、１対の壁部をチャック部として使用でき、チルト駆動用のマグネットが保持されたヨークが固定側部材とホルダとの対向面間のようなヨークの取り付けずらい場所でも容易に取り付けができる。
【００１１】
また、本発明では、前記磁性板を第１の磁性板としたとき、フォーカシング駆動用のマグネット又はトラッキング駆動用のマグネットが取り付けられる前記第１の磁性板とは異なる第２の磁性板を有し、これら２つの磁性板同士はトラッキング方向とフォーカシング方向の両方向に対し直交する方向に離間配置されているとともに、前記第２の磁性板は前記ホルダにおける前記固定側部材との対向面から露出しない位置に配設されている。この構成により、共振抑制部材の充填時に、収容部における弾性支持部材の埋設方向から下方に流出しても、接触する部材はなく、余分な共振抑制部材が第２の磁性板に付着してしまうことがなく、前記共振抑制部材の安定的充填が可能となる。
【００１２】
さらにまた、本発明では、前記共振抑制部材は紫外線硬化型粘性弾性体であることが好ましい。この構成を採用すると、共振抑制部材の収容部への充填が容易で且つ硬化すると収容部からの流出を防止できる。また、熱硬化型に比べ、硬化過程で固定側部材等が熱で変形することもない。
【００１３】
本発明に係る対物レンズ駆動装置の製造方法は、弾性支持部材は所定のパターンに形成した複数の薄板を対物レンズの光軸方向に間隔をおいて積層して前記固定側部材にインサート成形されるものであって、前記薄板間の離間距離を定めるための金型をトラッキング方向から挿入し成形している。このように構成にすると、複数の弾性支持部材を固定側部材と一体にインサート成形する場合であっても容易且つ確実に成形ができる。
【発明の効果】
【００１４】
本発明にかかる対物レンズ駆動装置では、対物レンズが取り付けられたホルダと、このホルダをフォーカス方向、トラッキング方向並びにチルト方向へ移動可能に、前記ホルダと対向配置された樹脂製の固定側部材に支持する複数の弾性支持部材と、この弾性支持部材の一部が埋設されるように前記固定側部材に充填された共振抑制部材と、前記ホルダの前記移動のための電磁力を付与する電磁駆動手段とを有し、前記弾性支持部材の一端側を前記固定側部材に他端側を前記ホルダにインサート成形により固定してなる対物レンズ駆動装置において、前記ホルダにチルト駆動用のコイルを配設するとともに、前記固定側部材に、磁性板を介してチルト駆動用マグネットを前記チルト駆動用のコイルと対向させて配設し、前記磁性板によって前記共振抑制部材が充填される収容部を形成している。従って、弾性支持部材を固定側部材とホルダにインサート成形して固定してなるサスペンション方式の対物レンズ駆動装置であっても、チルト駆動用のマグネットが取り付けられる磁性板が前記収容部を兼ねているため従来技術のように別部品の保持部を後付けする必要が無く、部品点数の増加を招くことがない。
【発明を実施するための最良の形態】
【００１５】
以下に、図面を参照して、本発明を適用した対物レンズ駆動装置を説明する。
【００１６】
（対物レンズ駆動装置の概略構成）
図１（ａ）、（ｂ）は、本発明を適用した対物レンズ駆動装置の平面図、および右側面図を示し、図２（ａ）、（ｂ）は、本発明を適用した対物レンズ駆動装置を斜め上方からみた斜視図、および斜め下方からみた斜視図を示す。但し、説明の便宜上後述する共振抑制部材としての紫外線硬化型粘性弾性体を充填する前の状態を示す。
【００１７】
図１（ａ）、（ｂ）および図２（ａ）、（ｂ）に示す対物レンズ駆動装置１は、ＣＤやＤＶＤなどの光記録ディスクの再生等に用いられるものであり、この対物レンズ駆動装置１では、光源からの出射光を光記録媒体に収束させる対物レンズ２０を保持した樹脂製のレンズホルダ２を薄板状の金属板からなる弾性支持部材６１、７１、８１で支持したリーフサスペンション方式が採用されている。
【００１８】
本形態の対物レンズ駆動装置１では、対物レンズ２０を保持するレンズホルダ２と、固定側部材５とが対向配置されており、レンズホルダ２の側に搭載された駆動コイル６、７、８と、ベースとなる第２の磁性板としてのヨーク４の側に直接、あるいは間接的に搭載されたマグネット１７、１８と、固定側部材５に第１の磁性板としてのヨーク３のヨーク部３ａを介して固着されたマグネット１６によって、レンズホルダ２をフォーカシング方向、トラッキング方向、およびチルト方向に駆動するための磁気駆動回路が構成されている。すなわち、レンズホルダ２には、固定側部材５の側から先端側（対物レンズ２０側）に向かって、チルト駆動用のコイル６、トラッキング駆動用のコイル８、フォーカシング駆動用のコイル７がこの順に配置されている。本対物レンズ駆動装置１においては、前記駆動用コイル６、７、８及びこのコイルに対応するマグネット１６、１７、１８で電磁駆動手段を構成している。なお、前記ヨーク４と前記マグネット１７の間には磁性体からなる磁力調整用スペーサ１０が介在している。
【００１９】
前記各駆動コイルのうち、トラッキング駆動用のコイル８は、レンズホルダ２に形成された開口部２１における対物レンズ２０の光軸と直交する方向のほぼ中央位置に配置され、フォーカシング駆動用のコイルは、前記トラッキング駆動用のコイル８と当接するように前記開口部２１の内側に配置されている。また、チルト駆動用のコイル６は、レンズホルダ２において、固定側部材５と対向する位置に配置されている。
【００２０】
周知のとおり、対物レンズ駆動時における不要共振抑制のため、フォーカシング及びトラッキングにおける駆動中心は可動部の重心位置に一致させることが必要である。そのため本形態では、トラッキング駆動用のコイル８とフォーカシング駆動用のコイル７はレンズホルダのほぼ中央位置に配設され前記可動部の重心位置に一致させている。なお、前記トラッキング駆動用のコイル８及びフォーカシング駆動用のコイル７は可動部の重心位置に配置すればよく、必ずしもレンズホルダの中央位置になくてもよい。他方、チルト駆動においては、対物レンズ駆動装置１の初期駆動段階で対物レンズ２０の傾き角を決めた後は、対物レンズの傾き駆動はさせないため、チルト駆動用のコイル６は可動部の重心位置に配設する必要はない。そこで本形態の対物レンズ駆動装置１では、対物レンズ２０との重量バランスをとるため、前記チルト駆動用コイルをレンズホルダの固定側部材５に対向する位置に配置し、バランスウェートとしても機能させている。
【００２１】
従って、固定側部材５においてレンズホルダ２と対向する位置にチルト駆動用のマグネット１６が配置され、レンズホルダ２の開口部２１の内側にトラッキング駆動用のマグネット１８が前記トラッキング駆動用のコイルと対向配置され、レンズホルダ２の開口部２１の内側にフォーカシング駆動用のマグネット１７が前記フォーカシング駆動用のコイルと対向配置されている。なお、ヨーク４は、レンズホルダ２の開口部２１を貫通してレンズホルダ２を覆う上面部４１を備えている。
【００２２】
ところで、本形態の対物レンズ駆動装置１では、チルト駆動用のマグネット１６が取り付けられるヨーク３と、フォーカシング駆動用のマグネット１７及びトラッキング駆動用のマグネット１８が取り付けられるヨーク４とは別体としている。また、ヨーク４は、レンズホルダ２における固定側部材５に対向する面より露出しない位置、即ち、本形態では対物レンズ２０と前記対向する面との間に配置されている。
【００２３】
レンズホルダ２と固定側部材５との間には、レンズホルダ２をチルト方向に駆動するためのコイル給電線を兼ねた左右一対のチルト駆動用の弾性支持部材６１、レンズホルダ２をフォーカシング方向に駆動するためのコイル給電線を兼ねた左右一対のフォーカシング駆動用の弾性支持部材７１と、レンズホルダをトラッキング方向に駆動するためのコイル給電線を兼ねた左右一対のトラッキング駆動用の弾性支持部材８１とが配置されている。
【００２４】
チルト駆動用の弾性支持部材６１、フォーカシング駆動用の弾性支持部材７１、およびトラッキング駆動用の弾性支持部材８１は、上段から下段に向けてこの順に多段に配置され、かつ、平面的には重なった位置に配置されている。また、チルト駆動用の弾性支持部材６１、フォーカシング駆動用の弾性支持部材７１、およびトラッキング駆動用の弾性支持部材８１はいずれも、レンズホルダ２の左右側面に先端側が接続され、基端側は固定側部材５に対して接続されている。なお、固定側部材５には、チルト駆動用の弾性支持部材６１、フォーカシング駆動用の弾性支持部材７１、およびトラッキング駆動用の弾性支持部材８１に対する収容部としてのゲルポット５０が配置されている。
【００２５】
このように構成した対物レンズ駆動装置１のレンズホルダ２および固定側部材５はいずれも、同一の樹脂材料を用いた樹脂成形品から構成されている。また、チルト駆動用の弾性支持部材６１、フォーカシング駆動用の弾性支持部材７１、およびトラッキング駆動用の弾性支持部材８１はいずれも、同一の材料からなる金属板から形成されている。
【００２６】
（ゲルポットの構成）
図３は、本発明を適用した対物レンズ駆動装置のゲルポットに共振抑制部材を充填した構成を示す斜視図であり、図４は、本発明を適用した対物レンズ駆動装置のゲルポットの一部を形成する磁性体の構成を示す斜視図である。
【００２７】
図３及び図４に基づき、対物レンズ駆動装置１におけるゲルポット５０の具体構成を以下に説明する。
【００２８】
共振抑制部材としての、紫外線硬化型粘性弾性体９が各弾性支持部材６１、７１、８１の基端側を囲撓するようにゲルポット５０に保持されている。
【００２９】
ここでゲルポット５０は、図２（ａ）で示すように、固定側部材５の左右に配置され互いに直交する側壁面５１、５２とチルト駆動用マグネット１６が貼着されるヨーク部３ａを有する第１の磁性板としてのヨーク３の両側に各々一体的に設けられた断面Ｌ字状の壁部３１、３２等で形成されている。  
【００３０】
より具体的には、ヨーク部３ａと壁部３１、３２は第１の磁性板であるヨーク３のベース３０から垂直に折り曲げられて一体的に製作されるが、壁部３１と３２とは、互いにその壁面が対向配置するように形成され、ヨーク部３ａは、前記２つの壁面間に配置されるとともに、前記各壁面とほぼ直交する方向に壁面が形成されている。
【００３１】
前記のようにして形成されたヨーク３は、前記ベース３０が、図２（ｂ）で示すように前記固定側部材５の下方側に固定され、前記壁部３１、３２はその壁面の一部が前記固定側部材５のトラッキング方向における両側端部に固定される。また、ヨーク部３ａは、固定側部材５のレンズホルダ２に対向する面を覆うように配置される。このヨーク部３ａのトラッキング方向における幅はチルト駆動用のマグネット１６の幅より小さく形成されていており、チルト駆動用のマグネット１６はヨーク部３ａから張出した部位１６３、１６４が形成されている。
【００３２】
このようにして、前記ヨーク３が固定側部材５に取り付けられると、固定側部材５の左右に配置され互いに直交する側壁面５１、５２、ヨーク３のベース３０、壁部３１、３２、ヨーク部３の両側端面部３３、３４並びにチルト駆動用マグネット１６の両側端面部１６１、１６２及びヨーク部３ａの両側面から張出した部位１６３、１６４で共振抑制部材としての紫外線硬化型粘性弾性体９が収容されるゲルポット５０が構成される。
【００３３】
なお、本発明の対物レンズ駆動装置１では弾性支持部材６１、７１、８１とレンズホルダ２並びに固定側部材とをインサート成形後に、前記第１の磁性板であるヨーク３を前記固定側部材５に固定して、前記ゲルポット５０を形成し、このゲルポット５０に前記紫外線硬化型粘性弾性体９を充填し、その後フォーカシング駆動用及びトラッキング駆動用のマグネット１７、１８がヨーク４を介して光ヘッド装置の例えばフレーム若しくはベースに固定されるようになっている。また、前記ヨーク部３ａを有する第１の磁性板３と、前記ヨーク４とはトラッキング方向とフォーカシング方向の両方向に対し直交する方向に離間配置され、前記紫外線硬化型粘性弾性体９の充填時には、磁性板３とヨーク４の各対向端面部間には弾性支持部材６１、７１、８１の基端部以外は何も配置されない状態となる。従って、充填時に前記紫外線硬化型粘性弾性体９が流出したとしても、他の構成部材に前記紫外線硬化型粘性弾性体９が付着することはない。
【００３４】
以上のように、ゲルポット５０の一部をもともと磁気回路を構成するヨーク部３ａを有する第１の磁性板３等で兼用させることで、固定側部材５の両端にゲルポット５０を構成する壁面部を設ける必要がなくなるため、可動部であるレンズホルダ２と固定部としての固定側部材５を弾性支持部材６１、７１、８１にインサート成形することが可能となる。
【００３５】
このようなゲルポット５０が形成されると、紫外線硬化型粘性弾性体９からなる共振抑制部材を、ヨーク部３ａの両側端面部３３，３４、ヨーク部３ａから両側に一体に形成された断面Ｌ字状壁部３１、３２並びに固定側部材５の側壁面５１、５２等により十分保持することが可能となる。
【００３６】
（弾性支持部材の形成方法）
図５（ａ）、（ｂ）、（ｃ）は、本発明を適用した対物レンズ駆動装置の弾性支持部材をインサート成形する前の金属板の構成を示す平面図である。
【００３７】
以下図５にもとづき弾性支持部材６１、７１、８１の形成方法を以下に説明する。
【００３８】
チルト駆動用の弾性支持部材６１、フォーカシング駆動用の弾性支持部材７１、およびトラッキング駆動用の弾性支持部材８１はいずれも、薄板状の金属板６０、７０、８０をプレス加工等で所定形状に打ち抜いて形成したものであり、チルト駆動用の弾性支持部材６１、フォーカシング駆動用の弾性支持部材７１、およびトラッキング駆動用の弾性支持部材８１の各先端側は、レンズホルダ２において弾性支持部材６１、７１、８１が延びている方向における略中央位置で埋め込まれる埋設部６２、７２、８２となっており、各基端側は固定側部材５において埋め込まれる部分を構成している。所定形状に打ち抜かれた金属板６０、７０、８０をレンズホルダ２及び固定側部材５にインサート成形後に、不要部分が切除される。前記埋設部６２、７２、８２は、前記略中央位置から前記弾性支持部材６１、７１、８１が延びている方向と略平行に延びた形状となっている。
なお、前記インサート成形は、前記３枚の金属板６０、７０、８０は対物レンズの光軸方向に間隔をおいて積層して前記固定側部材及びレンズホルダ２にインサート成形されるが、この際、前記薄板間の離間距離を定めるための図示しない金型をトラッキング方向から前記弾性支持部材間に挿入してインサート成形される。成形後に前記金型をトラッキング方向に移動させて抜くようにしている。
【００３９】
また前記各弾性支持部材６１、７１、８１には、コイル接続用端子６３、７３、８３が一体に形成されている。これによりコイル端部は、各コイル接続用端子６３、７３、８３に巻回された状態でハンダ付けされる。
【００４０】
（本形態の主な効果）
以上説明したように、本形態の対物レンズ駆動装置１では、対物レンズ２０が取り付けられたホルダをフォーカス方向、トラッキング方向及びチルト方向に駆動させることが可能となり、チルト駆動用マグネット１６が貼着されたヨーク部３ａに一体的に形成した壁部３１、３２並びにチルト駆動用マグネット１６の両側端面部１６１、１６２及びヨーク部３ａ側のヨーク部３ａの両側面から張出した部位１６３、１６４がゲルポット５０の一部を構成する。このため、薄板状金属板をレンズホルダと固定側部材にインサート成形したサスペンション方式の対物レンズ駆動装置であっても、容易に共振抑制部材が充填されるゲルポットを設けることが可能になり、ゲルポットを後付けする必要もなくなる。
【００４１】
さらにまた、チルト駆動用のマグネット１６が取り付けられるヨーク３と、フォーカシング駆動用のマグネット１７及びトラッキング駆動用のマグネット１８が取り付けられるヨーク４とは別体としている。従って、プレス加工で３つのヨーク（マグネット取り付け部）を抜き加工で一体成形する場合のように、ヨークとヨークを繋ぐ連結部分を設ける必要が無く、装置の小型化又は軽量化が図れるとともに、また装置の小型化によるヨーク間距離の狭さに起因するヨーク形成不能（ヨークの高さ又は幅を確保できない状態）を招来することもない。
【００４２】
（その他の実施の形態）
上記形態では、チルト駆動用マグネット１６の両側端面部１６１、１６２及びヨーク部    ３ａの両側面から張出した部位１６３、１６４をゲルポットの５０の一部を構成するようにしたが、前記張出し部は設けなくてもよい。さらに、この張出し部の長さや大きさは、レンズホルダ２の駆動時に弾性支持部材６１、７１、８１に干渉しない程度に適宜変えても良い。
【００４３】
上記形態では、チルト駆動用のマグネット１６が取り付けられるヨーク３と、フォーカシング駆動用のマグネット１７及びトラッキング駆動用のマグネット１８が取り付けられるヨーク４とは別体としたが、これらヨーク同士を樹脂によるインサート成形等により一体にしてもよい。
【００４４】
また、上記形態では、共振抑制部材に紫外線硬化型粘性弾性体９を使用したが、熱変形等による影響がなければ熱硬化型の粘性弾性体を使用してもよい。
【図面の簡単な説明】
【００４５】
【図１】（ａ）、（ｂ）は、本発明を適用した対物レンズ駆動装置の平面図、および右側面図である。
【図２】（ａ）、（ｂ）は、本発明を適用した対物レンズ駆動装置を斜め上方からみた斜視図、および斜め下方からみた斜視図である。
【図３】本発明を適用した対物レンズ駆動装置のゲルポットに共振抑制部材を充填した構成を示す斜視図である。
【図４】本発明を適用した対物レンズ駆動装置のゲルポットの一部を形成する磁性体の構成を示す斜視図である。
【図５】（ａ）、（ｂ）、（ｃ）は、本発明を適用した対物レンズ駆動装置の弾性支持部材をインサート成形する前の金属板の構成を示す平面図である。
【符号の説明】
【００４６】
１  対物レンズ駆動装置
２  レンズホルダ
３  ヨーク（第１の磁性板）
３ａ  ヨーク部
４  ヨーク（第２の磁性板）
５  固定側部材
９  紫外線硬化型粘性弾性体
１６  チルト駆動用のマグネット
１７  フォーカシング駆動用のマグネット
１８  トラッキング駆動用のマグネット
５０  ゲルポット
６０、７０、８０  金属板
６１、７１、８２  弾性支持部材
【図１】
2006185536.tif 000003
【図２】
2006185536.tif 000004
【図３】
2006185536.tif 000005
【図４】
2006185536.tif 000006
【図５】
2006185536.tif 000007